(57)【特許請求の範囲】
【請求項１】
ホーンアンテナ本体の端部開口部に防水カバーが設けられ、この防水カバーの内壁面に、前記端部開口部に向かい、かつ、前記ホーンアンテナ本体の中心軸と同心軸状に配置された誘電体からなる円筒形状の突起部が形成されたパラボラアンテナ用一次放射器において、
前記突起部の開口先端部に環状の段差部が形成されていることを特徴とするパラボラアンテナ用一次放射器。
【請求項２】
外側の高い段差突起が低い周波数のＶＳＷＲを抑え、内側の低い段差突起が高い周波数のＶＳＷＲを抑えることを特徴とする請求項１に記載のパラボラアンテナ用一次放射器。
【請求項３】
ホーンアンテナ本体の端部開口部に防水カバーが設けられたパラボラ用一次放射器において、
前記防水カバーの内壁面に、前記端部開口部に向かい、かつ、前記ホーンアンテナ本体の中心軸と同心軸状に配置された誘電体からなる円筒形状の突起部が複数設けられるとともに、外側の突起部に対して内側の突起部の高さが低く形成されていることを特徴とするパラボラアンテナ用一次放射器。
【請求項４】
外側の高い突起部が低い周波数のＶＳＷＲを抑え、内側の低い突起部が高い周波数のＶＳＷＲを抑えることを特徴とする請求項３に記載のパラボラアンテナ用一次放射器。
【発明の詳細な説明】
【０００１】
【発明の属する技術分野】
本発明は、衛星放送受信用パラボラアンテナに関し、特に、ＶＳＷＲを調整するための一次放射器の構造に関する。
【０００２】
【従来の技術】
図３は、一般的なパラボラアンテナの概略側面図、図４は、従来のパラボラアンテナ用一次放射器の断面図である。
【０００３】
パラボラアンテナによる衛星放送の受信は、図３に示すように、アンテナ部７１で反射された約１２ＧHz帯の信号Ｓが、一次放射器７２の開口部７３に集約されるようになっている。そして、一次放射器７２を通過した信号は、ＬＮＢ（Ｌｏｗ  Ｎｏｉｓｅ  Ｂｌｏｋ  ｄｏｗｎ−ｃｏｎｖｅｒｔｅｒ）７４により１２ＧHz帯から１ＧHz帯に周波数変換され、この周波数変換された信号が、ケーブル７５を通って屋内受信機（ＢＳ（またはＣＳ）チューナ、若しくは内蔵のＴＶ（またはＶＴＲ）７６に入力されるようになっている。
【０００４】
ここで、パラボラアンテナ用の一次放射器７２は、図４に示す構造となっている。
【０００５】
すなわち、ホーンアンテナ本体８１は円筒形状に形成されており、扇状に広がった先端開口部８２に防水カバー９１が圧入により嵌め込まれている。この防水カバー９１は、外部から一次放射器のホーンアンテナ本体８１内部へ雨等の水分が入り込まないようにするためのものである。そのため、ホーンアンテナ本体８１の端部開口部８２と防水カバー９１との間には、止水用のＯリング１００を介装することにより、防水機能を保っている。
【０００６】
この防水カバー９１は、プラスチック等の樹脂で形成されているため、空気に対して比較的高い誘電率を有している。そのため、防水カバー９１の形状が、一次放射器を含めた入力ＶＳＷＲに大きく影響することになる。
【０００７】
例えば、日本国内で衛星放送ＢＳ（伝送周波数１１．７〜１２．０ＧHz：帯域幅３００ＭHz）を受信する際、この防水カバー９１によってＶＳＷＲが影響を受ける。
【０００８】
そのため、この防水カバー９１の内壁面９２には、ＶＳＷＲを抑えるための円筒形状の突起部９２が形成されている。この突起部９２は、ホーンアンテナ本体８１の端部開口部８２側に突出して形成されており、かつ、ホーンアンテナ本体８１の中心軸Ｌ１と同心軸状に配置されている。このように突起部９２の内部を空洞とすることで、入力ＶＳＷＲを抑えている。
【０００９】
【発明が解決しようとする課題】
ところで、最近、日本国内では、放送衛星（ＢＳ）と同じ東経１１０°の位置に新たにＣＳディジタル放送用の衛星（伝送周波数１２．２ＧHz〜１２．７５ＧHz：帯域幅１０５０ＭHz）が打ち上げられサービスを開始している。そのため、１個のパラボラアンテナでＢＳ及びディジタルＣＳの両方を受信するためには、入力周波数１１．７〜１２．７５ＧHz（帯域幅１０５０ＭHz）に対して入力ＶＳＷＲの小さい良好な一次放射器が必要となっている。
【００１０】
しかしながら、上記した従来のパラボラアンテナ用一次放射器７２では、帯域幅が５００〜８００ＭHz程度の周波数に対してはＶＳＷＲを良好に抑えることができるが、１０５０ＭHzの帯域幅までＶＳＷＲを良好に抑え込むことが難しいといった問題があった。そして、ＶＳＷＲを抑え込む良好な特性が得られない場合には、アンテナトータルの交差偏波特性を２３ｄＢ以上得ることが難しいといった問題もあった。
【００１１】
本発明はかかる問題点を解決すべく創案されたもので、その目的は、１０５０ＭHzの帯域幅までＶＳＷＲを良好に抑え込むことができる構造のパラボラアンテナ用一次放射器を提供することにある。
【００１２】
【課題を解決するための手段】
本発明のパラボラアンテナ用一次放射器は、ホーンアンテナ本体の端部開口部に防水カバーが設けられ、この防水カバーの内壁面に、前記端部開口部に向かい、かつ、前記ホーンアンテナ本体の中心軸と同心軸状に配置された誘電体からなる円筒形状の突起部が形成されたパラボラアンテナ用一次放射器において、前記突起部の開口先端部に環状の段差部が形成されている。このように、突起部の開口先端部に環状の段差部を形成することで、外側の高い段差突起が低い周波数のＶＳＷＲを抑え、内側の低い段差突起が高い周波数のＶＳＷＲを抑えることができ、３００ＭHz〜１０５０ＭHzの広い帯域幅にわたって、入力ＶＳＷＲを効果的に抑えることが可能となる。また、後段につながるブロックの交差偏波特性を劣化させることなく、良好な交差偏波特性（２３ｄＢ以上）を実現することができる。
【００１３】
また、本発明のパラボラアンテナ用一次放射器は、ホーンアンテナ本体の端部開口部に防水カバーが設けられたパラボラ用一次放射器において、前記防水カバーの内壁面に、前記端部開口部に向かい、かつ、前記ホーンアンテナ本体の中心軸と同心軸状に配置された誘電体からなる円筒形状の突起部が複数設けられるとともに、外側の突起部に対して内側の突起部の高さが低く形成されている。これにより、外側の高い突起部が低い周波数のＶＳＷＲを抑え、内側の低い突起部が高い周波数のＶＳＷＲを抑えることができ、３００ＭHz〜１０５０ＭHzの広い帯域幅にわたって、入力ＶＳＷＲを効果的に抑えることが可能となる。また、後段につながるブロックの交差偏波特性を劣化させることなく、良好な交差偏波特性（２３ｄＢ以上）を実現することができる。
【００１４】
【発明の実施の形態】
以下、本発明の実施の形態について、図面を参照して説明する。
【００１５】
［実施の形態１］
図１は、本実施の形態１のパラボラアンテナ用一次放射器の断面図を示している。
【００１６】
このパラボラアンテナ用一次放射器は、ホーンアンテナ本体１１が円筒形状に形成されており、扇状に広がった先端開口部１２に、樹脂製の防水カバー２１が圧入により嵌め込まれている。また、ホーンアンテナ本体１１の端部開口部１２と防水カバー２１との間には、止水用のＯリング１３が介装されている。
【００１７】
また、この防水カバー２１の内壁面２２には、ＶＳＷＲを抑えるための円筒形状の突起部２３が形成されている。この突起部２３は、ホーンアンテナ本体１１の端部開口部１２側に突出して形成されており、かつ、ホーンアンテナ本体１１の中心軸Ｌ１と同心軸状に配置されている。
【００１８】
このような構成の突起部２３において、本実施の形態１では、突起部２３の開口先端部に環状の段差部２４が形成されている。このように、突起部２３の開口先端部に環状の段差部２４を形成することで、外側の高い段差突起部分２５が低い周波数のＶＳＷＲを抑え、内側の低い段差突起部２６が高い周波数のＶＳＷＲを抑えることができ、３００ＭHz〜１０５０ＭHzの広い帯域幅にわたって、入力ＶＳＷＲを効果的に抑えることができる。また、後段につながるブロックの交差偏波特性を劣化させることなく、良好な交差偏波特性（２３ｄＢ以上）を実現することができる。
【００１９】
［実施の形態２］
図２は、本実施の形態２のパラボラアンテナ用一次放射器の断面図を示している。
【００２０】
このパラボラアンテナ用一次放射器は、ホーンアンテナ本体１１が円筒状に形成されており、扇状に広がった先端開口部１２に、樹脂製の防水カバー３１が圧入により嵌め込まれている。また、ホーンアンテナ本体１１の端部開口部１２と防水カバー３１との間には、止水用のＯリング１３が介装されている。
【００２１】
また、この防水カバー３１の内壁面３２には、ＶＳＷＲを抑えるための円筒形状の複数（本実施の形態２では、２個）の突起部３３，３４が形成されている。これら突起部３３，３４は、ホーンアンテナ本体１１の端部開口部１２側に突出して形成されており、かつ、ホーンアンテナ本体１１の中心軸Ｌ１と同心軸状に配置されている。また、これら突起部３３，３４の高さは、外側の大径の突起部３３に対して、内側の小径の突起部３４の方が低くなるように形成されている。
【００２２】
これにより、外側の高い突起部３３が低い周波数のＶＳＷＲを抑え、内側の低い突起部３４が高い周波数のＶＳＷＲを抑えることができ、３００ＭHz〜１０５０ＭHzの広い帯域幅にわたって、入力ＶＳＷＲを効果的に抑えることができる。また、後段につながるブロックの交差偏波特性を劣化させることなく、良好な交差偏波特性（２３ｄＢ以上）を実現することができる。
【００２３】
なお、上記実施の形態２では、突起部を同心軸状に２個設けた構成としているが、同心軸状に３個以上設けることも可能である。この場合には、内側の突起部ほど、その高さが低くなるように形成すればよい。
【００２４】
【発明の効果】
本発明のパラボラアンテナ用一次放射器は、ホーンアンテナ本体の端部開口部に防水カバーが設けられ、この防水カバーの内壁面に、端部開口部に向かい、かつ、ホーンアンテナ本体の中心軸と同心軸状に配置された誘電体からなる円筒形状の突起部が形成されたパラボラアンテナ用一次放射器において、突起部の開口先端部に環状の段差部が形成されている。このように、突起部の開口先端部に環状の段差部を形成することで、外側の高い段差突起が低い周波数のＶＳＷＲを抑え、内側の低い段差突起が高い周波数のＶＳＷＲを抑えることができ、３００ＭHz〜１０５０ＭHzの広い帯域幅にわたって、入力ＶＳＷＲを効果的に抑えることができる。また、後段につながるブロックの交差偏波特性を劣化させることなく、良好な交差偏波特性（２３ｄＢ以上）を実現することができる。
【００２５】
また、本発明のパラボラアンテナ用一次放射器は、ホーンアンテナ本体の端部開口部に防水カバーが設けられたパラボラ用一次放射器において、防水カバーの内壁面に、端部開口部に向かい、かつ、ホーンアンテナ本体の中心軸と同心軸状に配置された誘電体からなる円筒形状の突起部が複数設けられるとともに、外側の突起部に対して内側の突起部の高さが低く形成されている。これにより、外側の高い突起部が低い周波数のＶＳＷＲを抑え、内側の低い突起部が高い周波数のＶＳＷＲを抑えることができ、３００ＭHz〜１０５０ＭHzの広い帯域幅にわたって、入力ＶＳＷＲを効果的に抑えることが可能となる。また、後段につながるブロックの交差偏波特性を劣化させることなく、良好な交差偏波特性（２３ｄＢ以上）を実現することができる。
【図面の簡単な説明】
【図１】本発明の実施の形態１に係わるのパラボラアンテナ用一次放射器の断面図である。
【図２】本発明の実施の形態２に係わるのパラボラアンテナ用一次放射器の断面図である。
【図３】一般的なパラボラアンテナの概略側面図である。
【図４】従来のパラボラアンテナ用一次放射器の断面図である。
【符号の説明】
１１  ホーンアンテナ本体
１２  先端開口部
１３  Ｏリング
２１  防水カバー
２２  内壁面
２３  突起部
２４  段差部
２５，２６  段差突起部分
３１  防水カバー
３２  内壁面
３３，３４  突起部
Ｌ１  ホーンアンテナ本体の中心軸
【図１】
0003857178.tif 000002
【図２】
0003857178.tif 000003
【図３】
0003857178.tif 000004
【図４】
0003857178.tif 000005